(57)【要約】【課題】従来のカフに空気を供給して被検体の測定部を圧迫する方法の血圧測定においては、被検体の測定部を圧迫する圧力値としてカフ内の空気圧の測定値を使用しており、被検体の測定部を圧迫する圧力を直接測定しておらず、外乱により血圧の測定値の精度に課題があった。そこで、被検体の測定部が圧迫される圧力を正確に測定し、安定して正確な血圧測定をすることができる血圧測定装置を提供することを課題とする。【解決手段】被検体との接触面に感圧導電ゴムを備えることで、感圧導電ゴムの電気抵抗から前記被検体の測定部が圧迫される圧力を直接測定することができるため、前記被検体の測定部が圧迫される圧力を正確に測定でき、安定して正確な血圧測定をすることができる血圧測定装置を提供することができる。【選択図】図１
2006102184.tif 000002
【特許請求の範囲】
【請求項１】
印加する圧力により電気抵抗値が変わる感圧導電ゴムと、
表面の一部に前記感圧導電ゴムを有する第一の筐体と、
前記第一の筐体を前記感圧導電ゴムが接触する被検体の方向に圧迫する圧迫機構と、
を備えた血圧測定装置。
【請求項２】
前記感圧導電ゴムは、一部が光透過性のある材料で形成された光透過部を有し、
前記第一の筐体は、前記感圧導電ゴムの光透過部と一致する位置に光透過性のある透光窓を有し、
前記第一の筐体の透光窓及び前記感圧導電ゴムの光透過部を通して前記第一の筐体から前記被検体に光を照射する発光素子と、
前記発光素子の照射した光が前記被検体で散乱した光を、前記第一の筐体の透光窓及び前記感圧導電ゴムの光透過部を通して前記第一の筐体内で受光する受光素子と、をさらに備えることを特徴とする請求項１に記載の血圧測定装置。
【請求項３】
前記被検体が間に挟まるように前記感圧導電ゴムに対向する位置に配置され、前記被検体に光を照射する発光素子と、
前記被検体が間に挟まるように前記感圧導電ゴムに対向する位置に配置され、前記発光素子の照射した光が前記被検体で散乱した光を受光する受光素子と、をさらに備えることを特徴とする請求項１に記載の血圧測定装置。
【請求項４】
前記感圧導電ゴムは、一部が光透過性のある材料で形成された光透過部を有し、
前記第一の筐体は、前記感圧導電ゴムの光透過部と一致する位置に光透過性のある透光窓を有し、
前記被検体が間に挟まるように前記感圧導電ゴムに対向する位置に配置され、前記被検体に光を照射する発光素子と、
前記発光素子の照射した光が前記被検体を透過した光を、前記第一の筐体の透光窓及び前記感圧導電ゴムの光透過部を通して前記第一の筐体内で受光する受光素子と、をさらに備えることを特徴とする請求項１に記載の血圧測定装置。
【請求項５】
前記感圧導電ゴムは、一部が光透過性のある材料で形成された光透過部を有し、
前記第一の筐体は、前記感圧導電ゴムの光透過部と一致する位置に光透過性のある透光窓を有し、
前記第一の筐体の透光窓及び前記感圧導電ゴムの光透過部を通して前記第一の筐体から前記被検体に光を照射する発光素子と、
前記被検体が間に挟まるように前記感圧導電ゴムに対向する位置に配置され、前記発光素子の照射した光が前記被検体を透過した光を受光する受光素子と、をさらに備えることを特徴とする請求項１に記載の血圧測定装置。
【請求項６】
前記第一の筐体の内部又は表面に、前記被検体からの振動を検出する振動計をさらに備えることを特徴とする請求項１に記載の血圧測定装置。
【請求項７】
前記被検体が間に挟まるように前記感圧導電ゴムに対向する位置に配置され、前記被検体からの振動を検出する振動計をさらに備えることを特徴とする請求項１に記載の血圧測定装置。
【請求項８】
前記第一の筐体の内部又は表面に、前記被検体からの音波を検出するマイクロフォンをさらに備えることを特徴とする請求項１に記載の血圧測定装置。
【請求項９】
前記被検体が間に挟まるように前記感圧導電ゴムに対向する位置に配置され、前記被検体からの音波を検出するマイクロフォンをさらに備えることを特徴とする請求項１に記載の血圧測定装置。
【請求項１０】
印加する圧力により電気抵抗値が変わる感圧導電ゴムと、
表面の一部に前記感圧導電ゴムを有する第二の筐体と、
被検体が間に挟まるように前記感圧導電ゴムに対向する位置に配置され、前記被検体を感圧導電ゴムの方向に圧迫する圧迫機構と、
を備えた血圧測定装置。
【請求項１１】
前記感圧導電ゴムは、一部が光透過性のある材料で形成された光透過部を有し、
前記第二の筐体は、前記感圧導電ゴムの光透過部と一致する位置に光透過性のある透光窓を有し、
前記第二の筐体の透光窓及び前記感圧導電ゴムの光透過部を通して前記第二の筐体から前記被検体に光を照射する発光素子と、
前記発光素子の照射した光が前記被検体で散乱した光を、前記第二の筐体の透光窓及び前記感圧導電ゴムの光透過部を通して前記第二の筐体内で受光する受光素子と、をさらに備えることを特徴とする請求項１０に記載の血圧測定装置。
【請求項１２】
前記被検体が間に挟まるように前記感圧導電ゴムに対向する位置に配置され、前記被検体に光を照射する発光素子と、
前記被検体が間に挟まるように前記感圧導電ゴムに対向する位置に配置され、前記発光素子の照射した光が前記被検体で散乱した光を受光する受光素子と、をさらに備えることを特徴とする請求項１０に記載の血圧測定装置。
【請求項１３】
前記感圧導電ゴムは、一部が光透過性のある材料で形成された光透過部を有し、
前記第二の筐体は、前記感圧導電ゴムの光透過部と一致する位置に光透過性のある透光窓を有し、
前記被検体が間に挟まるように前記感圧導電ゴムに対向する位置に配置され、前記被検体に光を照射する発光素子と、
前記発光素子の照射した光が前記被検体を透過した光を、前記第二の筐体の透光窓及び前記感圧導電ゴムの光透過部を通して前記第二の筐体内で受光する受光素子と、をさらに備えることを特徴とする請求項１０に記載の血圧測定装置。
【請求項１４】
前記感圧導電ゴムは、一部が光透過性のある材料で形成された光透過部を有し、
前記第二の筐体は、前記感圧導電ゴムの光透過部と一致する位置に光透過性のある透光窓を有し、
前記第二の筐体の透光窓及び前記感圧導電ゴムの光透過部を通して前記第二の筐体から前記被検体に光を照射する発光素子と、
前記被検体が間に挟まるように前記感圧導電ゴムに対向する位置に配置され、前記発光素子の照射した光が前記被検体を透過した光を受光する受光素子と、をさらに備えることを特徴とする請求項１０に記載の血圧測定装置。
【請求項１５】
前記第二の筐体の内部又は表面に前記被検体からの振動を検出する振動計をさらに備えることを特徴とする請求項１０に記載の血圧測定装置。
【請求項１６】
前記被検体が間に挟まるように前記感圧導電ゴムに対向する位置に配置され、前記被検体からの振動を検出する振動計をさらに備えることを特徴とする請求項１０に記載の血圧測定装置。
【請求項１７】
前記第二の筐体の内部又は表面に前記被検体からの音波を検出するマイクロフォンをさらに備えることを特徴とする請求項１０に記載の血圧測定装置。
【請求項１８】
前記被検体が間に挟まるように前記感圧導電ゴムに対向する位置に配置され、前記被検体からの音波を検出するマイクロフォンをさらに備えることを特徴とする請求項１０に記載の血圧測定装置。
【請求項１９】
前記圧迫機構は、気体又は液体の供給により伸縮するカフを有し、前記気体又は液体の供給の圧力により圧迫する圧力を制御することを特徴とする請求項１から１８に記載のいずれかの血圧測定装置。
【請求項２０】
前記圧迫機構は、アクチュエータで圧迫する圧力を制御することを特徴とする請求項１から１８に記載のいずれかの血圧測定装置。
【発明の詳細な説明】
【技術分野】
【０００１】
本願発明は、被検体の一部を圧迫して血圧測定をする血圧測定装置に関する。
【背景技術】
【０００２】
近年、より小型な装置で簡便に被検体の脈拍を検出する方法として、装置内に備えた発光素子により被検体へ照射した照射光が被検体の血管あるいは血管内の血球により散乱された散乱光を、装置内に備えた受光素子により受光し、受光した散乱光から血管の脈動を検出する方法が開発されている（例えば、特許文献１参照。）。光を使用して血管の脈動を測定する光電測定方法は、従来の方式であるカフ振動法や容積補償法と並んで有力な血圧の測定方法として認められている（例えば、非特許文献１参照。）。
【０００３】
血圧測定を行う場合、一般的に以下のように測定している。まず、被検体内の血流が停止する圧力で圧迫し、その後、被検体を圧迫する圧力を減少させる過程における被検体内の血管の脈動変化を、カフ振動法、容積補償法及び前記光電測定法などで計測し、被検体を圧迫する圧力と血管の脈動の変化から最高血圧及び最低血圧を測定している。従来から、被検体の測定部を圧迫する方法として、長方形で平面状のカフを被測定部分に巻きつけるように装着し、カフに空気を供給して被検体の測定部を圧迫する方法が一般的である。
【０００４】
なお、本願では、耳介の名称は非特許文献２に、耳介の軟骨の名称は非特許文献３による。
【特許文献１】特開平９−１２２０８３
【非特許文献１】山越  憲一、戸川  達男著、「生体センサと計測装置」、日本エム・イー学会編／ＭＥ教科書シリーズ  Ａ−１、３９頁〜５２頁
【非特許文献２】Ｓｏｂｏｔｔａ  図説人体解剖学第１巻（監訳者：岡本道雄）、ｐ．１２６、（株）医学書院、１９９６年１０月１日発行
【非特許文献３】Ｓｏｂｏｔｔａ  図説人体解剖学第１巻（監訳者：岡本道雄）、ｐ．１２７、（株）医学書院、１９９６年１０月１日発行
【発明の開示】
【発明が解決しようとする課題】
【０００５】
カフに空気を供給して被検体の測定部を圧迫する方法の血圧測定においては、被検体の測定部を圧迫する圧力値としてカフ内の空気圧の測定値を使用しており、カフ内の空気圧の測定値はカフ材料の伸縮性に依存するため、血圧の測定値の精度に課題があった。また、カフ内の空気圧の測定のための空気パイプの振動により、測定毎に血圧測定の測定値に誤差が生じ、血圧測定の測定再現性に課題があった。
【０００６】
そこで、本願発明は、従来例における上記の課題を解決するため、被検体の測定部が圧迫される圧力を正確に測定し、安定して正確な血圧測定をすることができる血圧測定装置を提供することを課題とする。
【課題を解決するための手段】
【０００７】
上記課題を解決するために、本願第一の発明及び第二の発明における血圧測定装置は、被検体との接触面に感圧導電ゴムを備え、感圧導電ゴムの電気抵抗を測定することで被検体の測定部を圧迫する圧力を測定することとした。
【０００８】
具体的には、本願第一の発明は、印加する圧力により電気抵抗値が変わる感圧導電ゴムと、表面の一部に前記感圧導電ゴムを有する第一の筐体と、前記第一の筐体を前記感圧導電ゴムが接触する被検体の方向に圧迫する圧迫機構と、を備えた血圧測定装置である。
【０００９】
また、本願第二の発明は、印加する圧力により電気抵抗値が変わる感圧導電ゴムと、表面の一部に前記感圧導電ゴムを有する第二の筐体と、被検体が間に挟まるように前記感圧導電ゴムに対向する位置に配置され、前記被検体を感圧導電ゴムの方向に圧迫する圧迫機構と、を備えた血圧測定装置である。
【００１０】
前記感圧導電ゴムは前記圧迫機構が前記被検体を圧迫する圧力の強さによって電気抵抗値が変わる。従って、本願第一の発明及び本願第二の発明に係る血圧測定装置は、前記感圧導電ゴムの電気抵抗を測定することで前記被検体の測定部が圧迫される圧力を正確に測定することができる。また、前記感圧導電ゴムに伝わる前記被検体の脈動から前記被検体の脈拍を測定することもできる。
【００１１】
本願第一の発明の血圧測定装置において、前記感圧導電ゴムは、一部が光透過性のある材料で形成された光透過部を有し、前記第一の筐体は、前記感圧導電ゴムの光透過部と一致する位置に光透過性のある透光窓を有し、前記第一の筐体の透光窓及び前記感圧導電ゴムの光透過部を通して前記第一の筐体から前記被検体に光を照射する発光素子と、前記発光素子の照射した光が前記被検体で散乱した光を、前記第一の筐体の透光窓及び前記感圧導電ゴムの光透過部を通して前記第一の筐体内で受光する受光素子と、をさらに備えてもよい。
【００１２】
また、本願第二の発明の血圧測定装置において、前記感圧導電ゴムは、一部が光透過性のある材料で形成された光透過部を有し、前記第二の筐体は、前記感圧導電ゴムの光透過部と一致する位置に光透過性のある透光窓を有し、前記第二の筐体の透光窓及び前記感圧導電ゴムの光透過部を通して前記第二の筐体から前記被検体に光を照射する発光素子と、前記発光素子の照射した光が前記被検体で散乱した光を、前記第二の筐体の透光窓及び前記感圧導電ゴムの光透過部を通して前記第二の筐体内で受光する受光素子と、をさらに備えてもよい。
【００１３】
本願第一の発明及び本願第二の発明に係る血圧測定装置は、前記感圧導電ゴムの電気抵抗値から前記被検体の測定部が圧迫される圧力を正確に測定することができるとともに、前記発光素子及び前記受光素子を備えることにより、前記発光素子の照射した光が前記被検体内の血管あるいは血管内の血球により散乱された散乱光を前記受光素子が受光し、その受光量の変化を検出することで、前記被検体の脈拍を正確に測定することができる。
【００１４】
本願第一の発明の血圧測定装置において、前記被検体が間に挟まるように前記感圧導電ゴムに対向する位置に配置され、前記被検体に光を照射する発光素子と、前記被検体が間に挟まるように前記感圧導電ゴムに対向する位置に配置され、前記発光素子の照射した光が前記被検体で散乱した光を受光する受光素子と、をさらに備えてもよい。
【００１５】
また、本願第二の発明の血圧測定装置において、前記被検体が間に挟まるように前記感圧導電ゴムに対向する位置に配置され、前記被検体に光を照射する発光素子と、前記被検体が間に挟まるように前記感圧導電ゴムに対向する位置に配置され、前記発光素子の照射した光が前記被検体で散乱した光を受光する受光素子と、をさらに備えてもよい。
【００１６】
本願第一の発明及び本願第二の発明に係る血圧測定装置は、前記感圧導電ゴムの電気抵抗値から前記被検体の測定部が圧迫される圧力を正確に測定することができるとともに、前記発光素子及び前記受光素子を備えることにより、前記発光素子の照射した光が前記被検体内の血管あるいは血管内の血球により散乱された散乱光を前記受光素子が受光し、その受光量の変化を検出することで、前記被検体の脈拍を正確に測定することができる。
【００１７】
本願第一の発明の血圧測定装置において、前記感圧導電ゴムは、一部が光透過性のある材料で形成された光透過部を有し、前記第一の筐体は、前記感圧導電ゴムの光透過部と一致する位置に光透過性のある透光窓を有し、前記被検体が間に挟まるように前記感圧導電ゴムに対向する位置に配置され、前記被検体に光を照射する発光素子と、前記発光素子の照射した光が前記被検体を透過した光を、前記第一の筐体の透光窓及び前記感圧導電ゴムの光透過部を通して前記第一の筐体内で受光する受光素子と、をさらに備えてもよい。
【００１８】
また、本願第二の発明の血圧測定装置において、前記感圧導電ゴムは、一部が光透過性のある材料で形成された光透過部を有し、前記第二の筐体は、前記感圧導電ゴムの光透過部と一致する位置に光透過性のある透光窓を有し、前記被検体が間に挟まるように前記感圧導電ゴムに対向する位置に配置され、前記被検体に光を照射する発光素子と、前記発光素子の照射した光が前記被検体を透過した光を、前記第二の筐体の透光窓及び前記感圧導電ゴムの光透過部を通して前記第二の筐体内で受光する受光素子と、をさらに備えてもよい。
【００１９】
本願第一の発明及び本願第二の発明に係る血圧測定装置は、前記感圧導電ゴムの電気抵抗値から前記被検体の測定部が圧迫される圧力を正確に測定することができるとともに、前記発光素子及び前記受光素子を備えることにより、前記発光素子の照射した光が前記被検体内の血管あるいは血管内の血球により吸収されずに透過した透過光を前記受光素子が受光し、その受光量の変化を検出することで、前記被検体の脈拍を正確に測定することができる。
【００２０】
本願第一の発明の血圧測定装置において、前記感圧導電ゴムは、一部が光透過性のある材料で形成された光透過部を有し、前記第一の筐体は、前記感圧導電ゴムの光透過部と一致する位置に光透過性のある透光窓を有し、前記第一の筐体の透光窓及び前記感圧導電ゴムの光透過部を通して前記第一の筐体から前記被検体に光を照射する発光素子と、前記被検体が間に挟まるように前記感圧導電ゴムに対向する位置に配置され、前記発光素子の照射した光が前記被検体を透過した光を受光する受光素子と、をさらに備えてもよい。
【００２１】
また、本願第二の発明の血圧測定装置において、前記感圧導電ゴムは、一部が光透過性のある材料で形成された光透過部を有し、前記第二の筐体は、前記感圧導電ゴムの光透過部と一致する位置に光透過性のある透光窓を有し、前記第二の筐体の透光窓及び前記感圧導電ゴムの光透過部を通して前記第二の筐体から前記被検体に光を照射する発光素子と、前記被検体が間に挟まるように前記感圧導電ゴムに対向する位置に配置され、前記発光素子の照射した光が前記被検体を透過した光を受光する受光素子と、をさらに備えてもよい。
【００２２】
本願第一の発明及び本願第二の発明に係る血圧測定装置は、前記感圧導電ゴムの電気抵抗値から前記被検体の測定部が圧迫される圧力を正確に測定することができるとともに、前記発光素子及び前記受光素子を備えることにより、前記発光素子の照射した光が前記被検体内の血管あるいは血管内の血球により吸収されずに透過した透過光を前記受光素子が受光し、その受光量の変化を検出することで、前記被検体の脈拍を正確に測定することができる。
【００２３】
本願第一の発明の血圧測定装置において、前記第一の筐体の内部又は表面に、前記被検体からの振動を検出する振動計をさらに備えてもよい。
【００２４】
また、本願第一の発明の血圧測定装置において、前記被検体が間に挟まるように前記感圧導電ゴムに対向する位置に配置され、前記被検体からの振動を検出する振動計をさらに備えてもよい。
【００２５】
一方、本願第二の発明の血圧測定装置においても、前記第二の筐体の内部又は表面に前記被検体からの振動を検出する振動計をさらに備えてもよい。
【００２６】
また、本願第二の発明の血圧測定装置においても、前記被検体が間に挟まるように前記感圧導電ゴムに対向する位置に配置され、前記被検体からの振動を検出する振動計をさらに備えてもよい。
【００２７】
本願第一の発明及び本願第二の発明に係る血圧測定装置は、前記感圧導電ゴムの電気抵抗値から前記被検体の測定部が圧迫される圧力を正確に測定することができるとともに、前記振動計を備えることにより、前記被検体内の血管の脈動による振動を測定することができ、前記被検体の脈拍を正確に測定することができる。
【００２８】
本願第一の発明の血圧測定装置において、前記第一の筐体の内部又は表面に、前記被検体からの音波を検出するマイクロフォンをさらに備えてもよい。
【００２９】
また、本願第一の発明の血圧測定装置において、前記被検体が間に挟まるように前記感圧導電ゴムに対向する位置に配置され、前記被検体からの音波を検出するマイクロフォンをさらに備えてもよい。
【００３０】
一方、本願第二の発明の血圧測定装置においても、前記第二の筐体の内部又は表面に前記被検体からの音波を検出するマイクロフォンをさらに備えてもよい。
【００３１】
また、本願第二の発明の血圧測定装置においても、前記被検体が間に挟まるように前記感圧導電ゴムに対向する位置に配置され、前記被検体からの音波を検出するマイクロフォンをさらに備えてもよい。
【００３２】
本願第一の発明及び本願第二の発明に係る血圧測定装置は、前記感圧導電ゴムの電気抵抗値から前記被検体の測定部が圧迫される圧力を正確に測定することができるとともに、前記マイクロフォンを備えることにより、前記被検体を圧迫した時の音波を検出することができ、前記被検体の脈拍を正確に測定することができる。
【００３３】
本願第一の発明及び本願第二の発明の血圧測定装置において、前記圧迫機構は、気体又は液体の供給により伸縮するカフを有し、前記気体又は液体の供給の圧力により圧迫する圧力を制御してもよい。
【００３４】
本願第一の発明及び本願第二の発明の血圧測定装置において、前記圧迫機構は、アクチュエータで圧迫する圧力を制御してもよい。
【００３５】
前記カフ又は前記アクチュエータを備えることにより、本願第一の発明及び本願第二の発明に係る血圧測定装置は、前記感圧導電ゴムの電気抵抗値から前記カフ又は前記アクチュエータの前記被検体を圧迫する圧力を制御することができる。
【発明の効果】
【００３６】
本願発明によれば、被検体との接触面に備えられた感圧導電ゴムの電気抵抗値から、前記被検体の測定部が圧迫される圧力を直接測定することができるため、前記被検体の測定部が圧迫される圧力を正確に測定することができる。従って、前記被検体の測定部が圧迫される圧力と、血圧測定中の前記被検体内の血管の脈動による感圧導電ゴムの電気抵抗値の変動、前記散乱光又は前記透過光の強度変化、前記被検体の測定部の振動又は前記被検体の測定部の音波と、から脈拍、最高血圧及び最低血圧を測定できる血圧測定装置を提供することができる。
【発明を実施するための最良の形態】
【００３７】
添付の図面を参照して本願発明の実施の形態を説明する。以下に説明する実施の形態は本願発明の構成の例であり、本願発明は、以下の実施の形態に制限されるものではない。
（実施の形態１）
【００３８】
図１は、本願第一の発明の実施形態に係る血圧測定装置１１１を示す概略図である。血圧測定装置１１１は、感圧導電ゴム１１、筐体１２、圧迫機構１３、電気抵抗測定器１４とを備える。
【００３９】
感圧導電ゴム１１は、印加する圧力により形状が変化し電気抵抗値が変わる特性を有する。感圧導電ゴムは絶縁性のゴム材料中に炭素、金属等の導電性粒子がほぼ均等に分散された状態で成形されており、圧力を印加しない場合、前記導電性粒子は互いに接触しておらず４０ＭΩ程度の高い電気抵抗値を示している。一方、感圧導電ゴムに圧力を印加すると、前記導電性粒子が接触し始め、ゴム内に導電経路が形成され、圧力に応じ導電経路が増えて電気抵抗値が５Ω程度と低くなる。つまり、圧力を印加すると電気抵抗値が低くなり、圧力電気抵抗値が高くなる。血圧測定装置１１１は被検体の測定部を圧迫する圧力を電気抵抗として測定するため、感圧導電ゴム１１はＯＮ−ＯＦＦ型ではなく抵抗値変化型を使用することが望ましい。
【００４０】
筐体１２の表面の一部に被検体と接触する感圧導電ゴム１１が設置される。筐体１２の材質は特に限定しないが、血圧測定装置として被検体の測定部に装着され、圧迫機構１３による圧力が印加されるため、軽量であり圧力で変形しないプラスチック又はアルミ、ステンレス等の金属が望ましい。
【００４１】
圧迫機構１３は感圧導電ゴム１１が接触する被検体の測定部の方向へ筐体１２を圧迫する手段である。圧迫機構１３が筐体１２を圧迫する圧力は筐体１２及び感圧導電ゴム１１を通じ、被検体の測定部を圧迫する圧力となる。圧迫機構１３の種類は筐体１２を圧迫できる構造のものであれば特に特定はしないが、気体又は液体の供給により伸縮するカフであることが好ましい。カフを使用することで従来技術を用いることができ、図示しない供給源から前記気体又は液体の供給圧を制御することで、被検体の測定部を圧迫する圧力を制御することができる。また、電力で駆動するモーター、ボイスコイル等のアクチュエータを使用しても良い。図示しない電源からの電圧もしくは電流を制御することで被検体の測定部を圧迫する圧力を制御することができ、小型のアクチュエータを使用することで血圧測定装置１１１の小型化を図ることができる。
【００４２】
電気抵抗測定器１４は感圧導電ゴム１１と圧迫機構１３に接続される。電気抵抗測定器１４は感圧導電ゴム１１に一定の電圧を印加し、感圧導電ゴム１１に流れる電流から感圧導電ゴム１１の電気抵抗を測定する測定器である。予め計測した感圧導電ゴム１１に印加した圧力と電気抵抗との相関関係から被検体の測定部が圧迫される圧力を特定することができる。電気抵抗測定器１４は圧迫機構１３に感圧導電ゴム１１の電気抵抗の測定結果を出力する。さらに、被検体の脈動が感圧導電ゴム１１に伝わるため、被検体の測定部が圧迫される圧力による電気抵抗値が変化する（以下、脈動により変化した感圧導電ゴム１１の電気抵抗値の時間波形を「脈動電気抵抗波形」とする。）。そのため、感圧導電ゴム１１の電気抵抗値の脈動電気抵抗波形から被検体の脈拍を測定することができる。なお、被検体の測定部が圧迫される圧力は脈動により変化した電気抵抗値を除外して測定される。
【００４３】
血圧測定装置１１１は以下のように動作する。血圧測定装置１１１は、感圧導電ゴム１１が被検体の測定箇所に接触するように装着される。装着と同時に電気抵抗測定器１４は感圧導電ゴム１１の電気抵抗値を測定し始める。圧迫機構１３は、電気抵抗測定器１４からの信号である感圧導電ゴム１１の電気抵抗値が被検体内部の血流が停止状態となる圧力の値になるまで、筐体１２、すなわち被検体の測定箇所を圧迫する。その後、圧迫機構１３は徐々に被検体の測定部を圧迫する圧力を減少させる。被検体の測定部を圧迫する圧力の減少に伴い、被検体内部の血液が流れ始め、被検体の測定部は血流による脈動が始まる。脈動の始まることにより、感圧導電ゴム１１の電気抵抗値の時間波形に脈動電気抵抗波形が発生する。例えば、脈動電気抵抗波形が発生した時の感圧導電ゴム１１の電気抵抗値から特定される圧力が被検体の最高血圧とすることができる。また、脈動電気抵抗波形において、脈動による電気抵抗値の変化であるパルス形状の波形の間隔から被検体の脈拍を測定することもできる。圧迫機構１３が被検体の測定部を圧迫する圧力がさらに減少すると、血管の圧迫による血流の抵抗がなくなるため脈動が消滅し、脈動電気抵抗波形が消滅する。例えば、脈動電気抵抗波形が消滅した時の感圧導電ゴム１１の電気抵抗値から特定される圧力が被検体の最低血圧とすることができる。以上のように、血圧測定装置１１１は被検体の血圧と脈拍を測定することができる。
【００４４】
なお、本願第二の発明の実施形態に係る血圧測定装置として、血圧測定装置１１１における圧迫機構１３を被検体が間に挟まるように感圧導電ゴム１１に対向する位置に配置してもよい。圧迫機構１３が被検体を感圧導電ゴム１１の方向に圧迫することで図１の構成の血圧測定装置１１１と同様の効果を得ることができる。
（実施の形態２）
【００４５】
図２は、本願第一の発明の他の実施形態に係る血圧測定装置１１２を示す概略図である。図２において、図１で用いた符号と同じ符号は同じ機能及び同じ動作をする。血圧測定装置１１１との違いは、感圧導電ゴム１１に一部が光透過性のある材料で形成された光透過部１１ａを有し、筐体１２に光透過部１１ａと一致する位置に光透過性のある透光窓１２ａを有し、透光窓１２ａ及び光透過部１１ａを通して筐体１２から被検体に照射光Ａを照射する発光素子２５と、照射光Ａが被検体で散乱した散乱光Ｂを、透光窓１２ａ及び光透過部１１ａを通して筐体１２内で受光する受光素子２６が備えられていることである。
【００４６】
血圧測定装置１１２は以下のように動作する。圧迫機構１３が被検体の測定部を圧迫する圧力を減少し始めるまでは、血圧測定装置１１１の動作と同じである。発光素子２５は透光窓１２ａ及び光透過部１１ａを通じ被検体の測定部に向けて照射光Ａを照射する。圧迫機構１３が被検体の測定部を圧迫する圧力の減少に伴い、被検体内部の血流が流れ始め、被検体の測定部は血流による脈動が始まる。照射光Ａは被検体内部の血管による脈動により散乱され散乱光Ｂとなり、再び光透過部１１ａ及び透光窓１２ａを通じ受光素子２６に受光される。受光素子２６は散乱光Ｂの強度に応じた信号を出力し、前記出力された信号は図示しない信号処理器で処理される。前記信号を処理することにより血圧測定装置１１２は被検体の脈拍を測定することができる。例えば、血圧測定装置１１２を用いた測定において、前記脈動により受光素子２６の受光する散乱光Ｂが強度変化し始めたときの感圧導電ゴム１１の電気抵抗値から特定される圧力を最高血圧とすることができる。また、前記脈動が消滅し、散乱光Ｂが強度変化をしなくなったときの感圧導電ゴム１１の電気抵抗値から特定される圧力を最低血圧とすることができる。以上のように、血圧測定装置１１２は被検体の血圧と脈拍を測定することができる。
【００４７】
なお、本願第二の発明の他の実施形態に係る血圧測定装置として、血圧測定装置１１２における圧迫機構１３を被検体が間に挟まるように感圧導電ゴム１１に対向する位置に配置してもよい。圧迫機構１３が被検体を感圧導電ゴム１１の方向に圧迫することで図２の構成の血圧測定装置１１２と同様の効果を得ることができる。
（実施の形態３）
【００４８】
図３は、本願第一の発明の他の実施形態に係る血圧測定装置１１３を示す概略図である。図３において、図１及び図２で用いた符号と同じ符号は同じ機能及び同じ動作をする。血圧測定装置１１１との違いは、被検体が間に挟まるように感圧導電ゴム１１に対向する位置に配置され、被検体に照射光Ａを照射する発光素子３５と、被検体が間に挟まるように感圧導電ゴム１１に対向する位置に配置され、発光素子３５の照射した照射光Ａが被検体で散乱した散乱光Ｂを受光する受光素子３６が備えられていることである。
【００４９】
血圧測定装置１１３は以下のように動作する。圧迫機構１３が被検体の測定部を圧迫する圧力を減少し始めるまでは、血圧測定装置１１１の動作と同じである。発光素子３５は
被検体の測定部に向けて照射光Ａを照射する。圧迫機構１３が被検体の測定部を圧迫する圧力の減少に伴い、被検体内部の血流が流れ始め、被検体の測定部は血流による脈動が始まる。照射光Ａは被検体内部の血管による脈動により散乱され散乱光Ｂとなり受光素子３６に受光される。受光素子３６は散乱光Ｂの強度に応じた信号を出力し、図示しない信号処理器で前記信号を処理することで、血圧測定装置１１３は被検体の脈拍を測定する。血圧測定装置１１３は血圧測定装置１１２と同様に最高血圧と最低血圧の測定をする。以上のように、血圧測定装置１１３は被検体の血圧と脈拍を測定することができる。
【００５０】
なお、本願第二の発明の他の実施形態に係る血圧測定装置として、血圧測定装置１１３における圧迫機構１３を被検体が間に挟まるように感圧導電ゴム１１に対向する位置に配置してもよい。圧迫機構１３が被検体を感圧導電ゴム１１の方向に圧迫することで図３の構成の血圧測定装置１１３と同様の効果を得ることができる。
（実施の形態４）
【００５１】
図４は、本願第一の発明の他の実施形態に係る血圧測定装置１１４を示す概略図である。図４において、図１、２及び３で用いた符号と同じ符号は同じ機能及び同じ動作をする。血圧測定装置１１２との違いは、発光素子２５及び受光素子２６を備えず、発光素子３５及び発光素子３５の照射した照射光Ａが被検体内を透過した透過光Ｃを透光窓１２ａ及び光透過部１１ａを通して筐体１２内で受光する受光素子４６が備えられていることである。
【００５２】
血圧測定装置１１４は以下のように動作する。圧迫機構１３が被検体の測定部を圧迫する圧力を減少し始めるまでは、血圧測定装置１１１の動作と同じである。発光素子３５は
被検体の測定部に向けて照射光Ａを照射する。圧迫機構１３が被検体の測定部を圧迫する圧力の減少に伴い、被検体内部の血流が流れ始め、被検体の測定部は血流による脈動が始まる。照射光Ａが被検体内部の血管の血液に吸収されずに透過した光は透過光Ｃとなり受光素子４６に受光される。受光素子４６は透過光Ｃの強度に応じた信号を出力し、図示しない信号処理器で前記信号を処理することで、血圧測定装置１１４は被検体の脈拍を測定する。血圧測定装置１１４は血圧測定装置１１２と同様に最高血圧と最低血圧の測定をする。以上のように、血圧測定装置１１４は被検体の血圧と脈拍を測定することができる。
【００５３】
なお、本願第二の発明の他の実施形態に係る血圧測定装置として、血圧測定装置１１４における圧迫機構１３を被検体が間に挟まるように感圧導電ゴム１１に対向する位置に配置してもよい。圧迫機構１３が被検体を感圧導電ゴム１１の方向に圧迫することで図４の構成の血圧測定装置１１４と同様の効果を得ることができる。
（実施の形態５）
【００５４】
図５は、本願第一の発明の他の実施形態に係る血圧測定装置１１５を示す概略図である。図５において、図１及び図２で用いた符号と同じ符号は同じ機能及び同じ動作をする。血圧測定装置１１２との違いは、受光素子２６を備えず、被検体が間に挟まるように感圧導電ゴム１１に対向する位置に配置され、発光素子２５の照射した照射光Ａが被検体を透過した透過光Ｃを受光する受光素子５６が備えられていることである。
【００５５】
血圧測定装置１１５は以下のように動作する。圧迫機構１３が被検体の測定部を圧迫する圧力を減少し始めるまでは、血圧測定装置１１１の動作と同じである。発光素子２５は
被検体の測定部に向けて照射光Ａを照射する。圧迫機構１３が被検体の測定部を圧迫する圧力の減少に伴い、被検体内部の血流が流れ始め、被検体の測定部は血流による脈動が始まる。照射光Ａが被検体内部の血管の血液に吸収されずに透過した光は透過光Ｃとなり受光素子５６に受光される。受光素子５６は透過光Ｃの強度に応じた信号を出力し、図示しない信号処理器で前記信号を処理することで、血圧測定装置１１５は被検体の脈拍を測定する。血圧測定装置１１５は血圧測定装置１１２と同様に最高血圧と最低血圧の測定をする。以上のように、血圧測定装置１１５は被検体の血圧と脈拍を測定することができる。
【００５６】
なお、本願第二の発明の他の実施形態に係る血圧測定装置として、血圧測定装置１１５における圧迫機構１３を被検体が間に挟まるように感圧導電ゴム１１に対向する位置に配置してもよい。圧迫機構１３が被検体を感圧導電ゴム１１の方向に圧迫することで図５の構成の血圧測定装置１１５と同様の効果を得ることができる。
（実施の形態６）
【００５７】
図６は、本願第一の発明の他の実施形態に係る血圧測定装置１１６を示す概略図である。図６において、図１で用いた符号と同じ符号は同じ機能及び同じ動作をする。血圧測定装置１１１との違いは、筐体１２の内部に被検体からの振動を検出する振動計６４が備えられていることである。
【００５８】
血圧測定装置１１６は以下のように動作する。圧迫機構１３が被検体の測定部を圧迫する圧力を減少し始めるまでは、血圧測定装置１１１の動作と同じである。圧迫機構１３が被検体の測定部を圧迫する圧力の減少に伴い、被検体内部の血流が流れ始め、被検体の測定部は血流による脈動が始まる。前記脈動は感圧導電ゴム１１及び筐体１２を通して振動計６４に伝わる。振動計６４は脈動による振動加速度に比例した信号を出力し、図示しない信号処理器で前記信号を処理することで、血圧測定装置１１６は被検体の脈拍を測定する。血圧測定装置１１６を用いた測定において、振動計６４が前記脈動を計測し始めたときの感圧導電ゴム１１の電気抵抗値から特定される圧力を最高血圧としてもよい。また、振動計６４が計測する前記脈動が消滅したときの感圧導電ゴム１１の電気抵抗値から特定される圧力を最低血圧としてもよい。以上のように、血圧測定装置１１６は被検体の血圧と脈拍を測定することができる。
【００５９】
なお、本願第二の発明の他の実施形態に係る血圧測定装置として、血圧測定装置１１６における圧迫機構１３を被検体が間に挟まるように感圧導電ゴム１１に対向する位置に配置してもよい。圧迫機構１３が被検体を感圧導電ゴム１１の方向に圧迫することで図６の構成の血圧測定装置１１６と同様の効果を得ることができる。
（実施の形態７）
【００６０】
図７は、本願第一の発明の他の実施形態に係る血圧測定装置１１７を示す概略図である。図７において、図１及び図６で用いた符号と同じ符号は同じ機能及び同じ動作をする。血圧測定装置１１６との違いは、被検体が間に挟まるように感圧導電ゴム１１に対向する位置に振動計６４を配置したことである。
【００６１】
血圧測定装置１１７は以下のように動作する。圧迫機構１３が被検体の測定部を圧迫する圧力を減少し始めるまでは、血圧測定装置１１１の動作と同じである。圧迫機構１３が被検体の測定部を圧迫する圧力の減少に伴い、被検体内部の血流が流れ始め、被検体の測定部は血流による脈動が始まる。前記脈動は直接振動計６４に伝わる。振動計６４は被検体の脈動による振動加速度に比例した信号を出力し、図示しない信号処理器で前記信号を処理することで、血圧測定装置１１７は被検体の脈拍を測定する。血圧測定装置１１７は血圧測定装置１１６と同様に最高血圧と最低血圧の測定をする。以上のように、血圧測定装置１１７は被検体の血圧と脈拍を測定することができる。
【００６２】
なお、本願第二の発明の他の実施形態に係る血圧測定装置として、血圧測定装置１１７における圧迫機構１３を被検体が間に挟まるように感圧導電ゴム１１に対向する位置に配置してもよい。圧迫機構１３が被検体を感圧導電ゴム１１の方向に圧迫することで図７の構成の血圧測定装置１１７と同様の効果を得ることができる。
（実施の形態８）
【００６３】
図８は、本願第一の発明の他の実施形態に係る血圧測定装置１１８を示す概略図である。図８において、図１で用いた符号と同じ符号は同じ機能及び同じ動作をする。血圧測定装置１１１との違いは、筐体１２の内部に被検体からの音波を検出するマイクロフォン８４が備えられていることである。
【００６４】
血圧測定装置１１８は以下のように動作する。圧迫機構１３が被検体の測定部を圧迫する圧力を減少し始めるまでは、血圧測定装置１１１の動作と同じである。圧迫機構１３が被検体の測定部を圧迫する圧力の減少に伴い、被検体内部の血流が流れ始め、被検体の測定部は血流による脈動が始まる。被検体内の血液は圧迫された部分を流れる際に血管内で渦を生じ、渦による音波を発生する（コロトコフ音）。マイクロフォン８４は音波の強度に応じた信号を出力し、図示しない信号処理器で前記信号を処理することで、血圧測定装置１１８は被検体の脈拍を測定することができる。血圧測定装置１１８を用いた測定において、コロトコフ音が発生し始めたときの感圧導電ゴム１１の電気抵抗値から特定される圧力を最高血圧としてもよい。また、コロトコフ音が消滅したときの感圧導電ゴム１１の電気抵抗値から特定される圧力を最低血圧としてもよい。以上のように、血圧測定装置１１８は被検体の血圧と脈拍を測定することができる。
【００６５】
なお、本願第二の発明の他の実施形態に係る血圧測定装置として、血圧測定装置１１８における圧迫機構１３を被検体が間に挟まるように感圧導電ゴム１１に対向する位置に配置してもよい。圧迫機構１３が被検体を感圧導電ゴム１１の方向に圧迫することで図８の構成の血圧測定装置１１８と同様の効果を得ることができる。
（実施の形態９）
【００６６】
図９は、本願第一の発明の他の実施形態に係る血圧測定装置１１９を示す概略図である。図９において、図１及び図８で用いた符号と同じ符号は同じ機能及び同じ動作をする。血圧測定装置１１８との違いは、被検体が間に挟まるように感圧導電ゴム１１に対向する位置にマイクロフォン８４を配置したことである。
【００６７】
血圧測定装置１１９は筐体１２の外でコロトコフ音を検出すること以外は血圧測定装置１１８の動作と同じであり、被検体の血圧と脈拍を測定することができる。
【００６８】
なお、本願第二の発明の他の実施形態に係る血圧測定装置として、血圧測定装置１１９における圧迫機構１３を被検体が間に挟まるように感圧導電ゴム１１に対向する位置に配置してもよい。圧迫機構１３が被検体を感圧導電ゴム１１の方向に圧迫することで図９の構成の血圧測定装置１１９と同様の効果を得ることができる。
【００６９】
実施の形態２から５の血圧測定装置において、被検体の脈動を測定するための散乱光Ｂ及び透過光Ｃは被検体内の血管の脈動により照射光Ａが吸収及び散乱することで生ずる。具体的には、照射光Ａは被検体の血管の脈動に伴う被測定部分の血液の増減、すなわち血液中のヘモグロビン量の増減によって吸収及び散乱を生じ散乱光Ｂ及び透過光Ｃとなる。照射光Ａとして３００ｎｍ以上１５００ｎｍ以下の波長の光を使用することができる。３００ｎｍ以上１５００ｎｍ以下の波長で発光する発光素子２５及び発光素子３５として、例えばＧａＰ系（赤）ＬＥＤ又はＧａＡｓ系ＬＥＤを使用することができる。さらに、照射光Ａとして血液中のヘモグロビンにより吸収されやすい４００ｎｍ以上６５０ｎｍ以下の波長の光を使用することがより好ましい。４００ｎｍ以上６５０ｎｍ以下の波長で発光する発光素子２５及び発光素子３５としてＧａＰ系（緑）ＬＥＤ又はＧａＡｓＰ系ＬＥＤを使用することができる。
【００７０】
受光素子２６、受光素子３６、受光素子４６及び受光素子５６の種類は、照射光Ａを照射する発光素子２５及び発光素子３５の種類で定まる。発光素子２５及び発光素子３５にＧａＰ系（赤）ＬＥＤ又はＧａＡｓ系ＬＥＤを使用した場合、受光素子２６、受光素子３６、受光素子４６及び受光素子５６にはＳｉフォトトランジスタを使用することが好ましい。また、発光素子２５及び発光素子３５にＧａＰ系（緑）ＬＥＤ又はＧａＡｓＰ系ＬＥＤを使用した場合、受光素子２６、受光素子３６、受光素子４６及び受光素子５６にはブルーセンシティブフォトダイオードを使用することが好ましい。
【００７１】
実施の形態６及び７の血圧測定装置において、振動計６４は微弱な被検体の脈動を計測するため高感度な加速度センサを有する振動計を使用することが好ましい。例えば、外力を受けるとその表面に電荷が発生する圧電効果のある水晶やセラミックスを使用した圧電効果型振動計を使用することができる。
【００７２】
本願第一の発明及び本願第二の発明の実施形態に係る血圧測定装置は、感圧導電ゴム１１と被検体が接触する圧力を電気抵抗値として測定することで被検体の測定部が圧迫される圧力を正確に測定することができ、前記被検体の測定部が圧迫される圧力と、前記被検体内の血管の脈動による感圧導電ゴム１１の脈動電気抵抗波形、散乱光Ｂの強度変化、透過光Ｃの強度変化、前記被検体の測定部の振動又は前記被検体の測定部の音波と、から脈拍、最高血圧及び最低血圧を測定することができる。さらに、本願第一の発明及び本願第二の発明の実施形態に係る血圧測定装置は、感圧導電ゴム１１の電気抵抗値により、圧迫機構１３が被検体を圧迫する圧力を正確に制御することができる。
【産業上の利用可能性】
【００７３】
本願発明の血圧測定装置は、健康保持や健康診断のための生体情報を検出する健康器具に適用することができる。
【図面の簡単な説明】
【００７４】
【図１】本願第一の発明に係る実施形態の血圧測定装置１１１の構成を示す図である。
【図２】本願第一の発明に係る実施形態の血圧測定装置１１２の構成を示す図である。
【図３】本願第一の発明に係る実施形態の血圧測定装置１１３の構成を示す図である。
【図４】本願第一の発明に係る実施形態の血圧測定装置１１４の構成を示す図である。
【図５】本願第一の発明に係る実施形態の血圧測定装置１１５の構成を示す図である。
【図６】本願第一の発明に係る実施形態の血圧測定装置１１６の構成を示す図である。
【図７】本願第一の発明に係る実施形態の血圧測定装置１１７の構成を示す図である。
【図８】本願第一の発明に係る実施形態の血圧測定装置１１８の構成を示す図である。
【図９】本願第一の発明に係る実施形態の血圧測定装置１１９の構成を示す図である。
【符号の説明】
【００７５】
１１１、１１２、１１３、１１４、１１５、１１６、１１７、１１８、１１９  血圧測定装置
１１  感圧導電ゴム
１１ａ  光透過部
１２  筐体
１２ａ  透光窓
１３  圧迫機構
１４  電気抵抗測定器
２５、３５  発光素子
２６、３６、４６、５６  受光素子
６４  振動計
８４  マイクロフォン
Ａ  照射光
Ｂ  散乱光
Ｃ  透過光
【図１】
2006102184.tif 000003
【図２】
2006102184.tif 000004
【図３】
2006102184.tif 000005
【図４】
2006102184.tif 000006
【図５】
2006102184.tif 000007
【図６】
2006102184.tif 000008
【図７】
2006102184.tif 000009
【図８】
2006102184.tif 000010
【図９】
2006102184.tif 000011